(57)【要約】【課題】プローブと測定待ち素子との相対的位置距離を調整することを可能とする、プローブ載置具を備えたテストカードを提供する。【解決手段】本発明のテストカードは、回路板と、回路板上に固定された固定プラットホームと、プラットホーム上に取り付けられた微調整プラットホームと、微調整プラットホーム上に取り付けられたプローブ載置具と、プローブ載置具上に取り付けられた少なくとも１つのプローブとを有してなる。微調整プラットホームは固定部、可動部、および固定部と可動部を連結する駆動機構を備えて、固定部は固定プラットホーム上に固定され、プローブ載置具は可動部に取り付けられている。駆動機構によって、プローブと測定待ち素子との相対的な位置を調整することができる。【選択図】図２
2005315615.tif 000002
【特許請求の範囲】
【請求項１】
回路板と、
前記回路板上に固定された固定プラットホームと、
前記固定プラットホーム上に取り付けられた微調整プラットホームと、
前記微調整プラットホーム上に取り付けられたプローブ載置具と、
前記プローブ載置具上に取り付けられた少なくとも１つのプローブとを有してなることを特徴とするテストカード。
【請求項２】
前記微調整プラットホームが、
前記固定プラットホーム上に固定された固定部と、
前記プローブ載置具を載せるための可動部と、
前記固定部と前記可動部とを連結し、前記プローブと測定待ち素子とのの相対的な位置を調整するための駆動機構とを有してなるものであることを特徴とする請求項１記載のテストカード。
【請求項３】
前記固定プラットホームが、該固定プラットホームを前記回路板上に位置合せするための複数個の位置合せ孔を有するものであることを特徴とする請求項１記載のテストカード。
【請求項４】
前記固定プラットホームが、該固定プラットホームを前記回路板上に緊密に固定するための複数個の固定孔を有するものであることを特徴とする請求項１記載のテストカード。
【請求項５】
前記回路板に、ノイズを防ぐための遮蔽カバーが取り付けられていることを特徴とする請求項１記載のテストカード。
【請求項６】
前記プローブが、交換可能な方式で前記プローブ載置具に取り付けられていることを特徴とする請求項１記載のテストカード。
【請求項７】
前記回路板に、前記プローブと測定待ち素子とが電気的に接触するための開口部が設けられていることを特徴とする請求項１記載のテストカード。
【請求項８】
前記プローブが、高周波プローブまたは光ファイバプローブまたはその他の種類のプローブであることを特徴とする請求項１記載のテストカード。
【請求項９】
回路板と、
少なくとも１つの第１のプローブと、
前記回路板上に取り付けられた、前記第１のプローブと測定待ち素子との相対的な位置を調整するための微調整プラットホームと、
前記回路板の、前記微調整プラットホームが設けられた面と異なる面に取り付けられた支持体と、
前記支持体上に固定された少なくとも１つの直流プローブとを有してなることを特徴とするテストカード。
【請求項１０】
前記直流プローブの片端は測定待ち素子の測定に用いられ、他端は前記回路板を貫通して、該回路板のもう１つの表面まで達していることを特徴とする請求項９記載のテストカード。
【請求項１１】
前記直流プローブが、振動現象の発生を防ぐために、フェライトビーズで覆われていることを特徴とする請求項９記載のテストカード。
【請求項１２】
前記回路板上に、ノイズを防ぐための遮蔽カバーが取り付けられていることを特徴とする請求項９記載のテストカード。
【請求項１３】
前記第１のプローブが、光ファイバプローブまたは無線周波プローブまたは他の種類のプローブであることを特徴とする請求項９記載のテストカード。
【請求項１４】
前記回路板に、前記第１のプローブと測定待ち素子とが電気的に接触するための開口が設けられていることを特徴とする請求項９記載のテストカード。
【発明の詳細な説明】
【技術分野】
【０００１】
本発明は、テストカード、特にプローブと測定待ち素子との相対的な位置を調整可能なテストカードに関するものである。
【背景技術】
【０００２】
テストカードは、測定待ち素子の規格例えばピン数（Ｐｉｎ  ｃｏｕｎｔ）、ピッチ（Ｐｉｔｃｈ）、大きさ（Ｐａｄ  ｓｉｚｅ）など、および測定器の台の設定高さ（ｐｒｏｂｅ  ｄｅｐｔｈ）に基づいて製造される。測定待ち素子の電気特性を測定するとき、テストカードのプローブは測定器の台のテスト信号を測定待ち素子に伝送すると共に、測定された電気特性パラメータを測定器の台に返送して電気特性の分析に供する。
【０００３】
図１は従来のテストカード１０の断面図である。図１に示すように、このテストカード１０は回路板１２、回路板１２上に取り付けられた支持体１４、支持体１４上に固定された複数本のプローブ１６、プローブ１６と導線２６とを電気的に接続する導電孔２０を有してなる。プローブ１６の水平位置が使用時間の増加によってずれることを防ぐために、プローブ１６はエポキシ樹脂２４によって支持体１４に固定されている。測定するとき、テストカード１０は測定器の台（図１に示していない）の上に設置され、そのプローブ１６は測定待ち素子３０の信号接点３８と電気的に接触することによって電気特性パラメータ測定信号を伝送することができるようになる。
【発明の開示】
【発明が解決しようとする課題】
【０００４】
このような従来のテストカードは以下の短所がある。
【０００５】
１．テストカードは特定の測定待ち素子にしか適用することができない。従来のテストカードは測定待ち素子と測定器の台の規格に合せて製作され、さらにそのプローブがエポキシ樹脂によって回路板上に固定されている。そのため、一旦テストカードが出来上がると、その特定の規格の測定待ち素子にしか適用することができない。測定待ち素子のプローブの配列方式や、ピッチなどが変わると、新しい規格に合ったテストカードを作り直さなければならず、測定コストが大幅に上ってしまうという問題がある。
【０００６】
２．プローブの位置調整が難しい。従来のテストカードのプローブの位置は、テストカード生産メーカーの技術者が調整してからエポキシ樹脂で回路板上に固定した位置である。このようなテストカードは輸送や使用時に何らかのはずみでプローブの水平位置がずれた場合、使用者はテストカードを生産メーカーに返送して位置の修正をしてもらわなければならず、操作者側により調整することができる柔軟性に欠けるという問題がある。
【０００７】
３．１つのプローブが欠損したらカード全体が使えなくなる。従来のテストカードは、プローブがエポキシ樹脂によりテストカードの基板上の設計通りの位置に固定されている。その中の１本または数本のプローブが欠損すると、カード全体が使えなくなり、新しいテストカードを作るしかない。プローブの交換は、テストカード全体におけるプローブの位置の精度を大きく影響するため、測定結果の精確度に大きな影響を与えてしまうという問題がある。
【０００８】
４．単一の機能の測定しか対応できず、今後の応用ニーズを満たすことができない。従来のテストカードは、例えば直流電気特性の測定のためのものか交流電気特性の測定のためのものかのように、測定待ち素子の単一の機能しか測定できない。将来の無線周波素子に対応するために、テストカードメーカーは無線周波プローブと直流プローブとを同一のテストカード上で設置することを試みたことがあり、その無線周波プローブと直流プローブをそれまで通りにエポキシ樹脂でテストカード上に固定した。しかし、無線周波プローブ、直流プローブとエポキシ樹脂の材料の特性が異なるため、このテストカードは依然として無線周波プローブ素子の測定に必要な周波数に適合させることができないでいる。それゆえ無線周波素子の電気特性の測定は、相変わらず直流パラメータの測定と無線周波パラメータの測定とか別々に行われており、そのため、測定時間は２〜３倍に増えてしまうという問題がある。
【０００９】
本発明は、上記事情に鑑みてなされたものであり、プローブと測定待ち素子との相対的な距離を調整可能なテストカードを提供することを第１の目的とし、測定待ち素子の高周波電気特性と直流電気特性とを同時に測定することができる多機能のテストカードを提供することを第２の目的とするものである。
【課題を解決するための手段】
【００１０】
本発明の第1のテストカードは、回路板と、回路板上に固定された固定プラットホームと、固定プラットホーム上に取り付けられた微調整プラットホームと、微調整プラットホーム上に取り付けられたプローブ載置具と、プローブ載置具上に取り付けられた少なくとも１つのプローブとを有してなる。微調整プラットホームは固定部、可動部、および固定部と可動部を連結する駆動機構が含まれる。固定部は固定プラットホーム上に固定されており、プローブ載置具は可動部に取り付けられている。駆動機構によって、プローブと測定待ち素子との相対的な位置を調整することができる。本発明のテストカードの前記回路板上にさらに遮蔽カバーを設けるようにしてもよく、該遮蔽カバーにより前記回路板上に取り付けられた電子部品をカバーし、遮蔽作用ををなすことによって、測定器の台自身から生じるノイズを確実にカットし、測定の精確度を確保することができる。
【００１１】
本発明の第2のテストカードは、回路板と、回路板の片方の表面上に固定された固定プラットホームと、プラットホーム上に取り付けられた微調整プラットホームと、微調整プラットホーム上に取り付けられたプローブ載置具と、プローブ載置具上に取り付けられた少なくとも１つの第１のプローブと、回路板の他方の表面上に固定された支持体と、支持体に固定された少なくとも１つの直流プローブとを有してなる。前記直流プローブは、、測定待ち素子を測定するのに用いられる一端と異なる他端が回路板を貫通して、回路板の前記片方の表面まで延び、さらに測定時の振動（Ｏｓｃｉｌｌａｔｉｏｎ）現象の発生を防ぐために、フェライトビーズ（Ｆｅｒｒｉｔｅ−Ｂｅａｄ）で包まれている。前記第１のプローブとして無線周波プローブを用いることで、該第１のプローブと前記直流プローブとによって、本発明の第2のテストカードにより、測定待ち素子の無線周波電気特性と直流電気特性を同時に測定することができる。
【発明の効果】
【００１２】
本発明によるテストカードは、従来のテストカードに比べ、以下の長所がある。
【００１３】
１．無線周波プローブのピンの位置は調整可能である。本発明のテストカードは、その微調整プラットホームによって、使用者が無線周波プローブのピンの位置レベルの微調整を行うことができると共に、測定待ち素子の配列、ピッチ、測定器の台の規格に合せた調整もできるため、測定待ち素子の規格の変化に対応することができる。
【００１４】
２．多機能の測定ができるため、産業ニーズにマッチしている。本発明のテストカードは、その無線周波プローブが、精密な微調整プラットホームによって取り付けられていると共に、直流プローブは伝統的な固定方式で取り付けられているため、測定待ち素子の直流電気特性と無線周波電気特性を同時に測定することができる。
【００１５】
３．テストカードの無線周波プローブは交換可能である。この無線周波プローブは交換可能方式でプローブ載置具に取り付けられているため、欠損して使用できなくなったとき、直接取り外して新しい無線周波プローブと交換できる。また、光通信素子など異なる種類の測定待ち素子の測定ニーズに対応するため、種類の異なるプローブ（例えば、光ファイバプローブ）に交換すれば、異なる測定待ち素子の測定もできる。
【００１６】
４．プローブの取付方式が安定である。本発明のテストカードは、多点位置合せおよび多点固定方式を採用することにより、微調整プラットホーム、プローブ載置具、および高周波プローブが正確かつ安定に回路板上に取り付けられることができる。
【００１７】
５．外部のノイズを遮断することができる。本発明のテストの回路板に、遮蔽カバーを設けることによって、回路板上の電子部品をカバー内にに内包し、遮蔽効果をなすすることにより、測定器の台や、外部環境から生じるノイズを確実に遮断することができる。
【００１８】
６．振動現象の発生を防ぐことができる。テストカードの直流プローブは、フェライトビーズで覆われているため、直流電気特性の測定に使用することができると共に、測定時においては振動現象の発生を防ぐことができる。
【発明を実施するための最良の形態】
【００１９】
図２は本発明のテストカード５０の立体正面図である。図２に示すように、テストカード５０は、回路板６０、回路板６０の第１表面６１Ａに固定された固定プラットホーム７０、プラットホーム７０に取り付けられた微調整プラットホーム８０、微調整プラットホーム８０に取り付けられたプローブ載置具９０、およびプローブ載置具９０に取り付けられた少なくとも１つの無線周波プローブ９２を有する。回路板６０には開口６２が設けられており、無線周波プローブ９０はこの開口６２を経由して測定待ち素子（図２に示していない）と電気的に接触することができる。
【００２０】
固定プラットホーム７０には複数個の位置合せ孔７２と複数個の固定孔７４とが設けられている。位置合せ孔７２は、固定プラットホーム７０と回路板６０との相対的な位置を合わせるのに用いられる。固定器具（例えばスクリューやリベット）は固定孔７４によって固定プラットホーム７０を回路板６０上にしっかり固定することができる。このテストカードは固定プラットホーム７０の多点位置合せと固定設計により、微調整プラットホーム８０、プローブ、載置具９０、および無線周波プローブ９２を安定的かつ精確に回路板６０上に取り付け、無線周波プローブ９２と測定待ち素子との相対的な位置が外力を受けても容易にずれないようにすることができる。
【００２１】
微調整プラットホーム８０は、固定部８２、可動部８４、固定部８２と可動部８４とを連結する駆動機構８６を備える。固定部８２は固定プラットホーム７０に固定されており、プローブ載置具９０は可動部８４に取り付けられており、無線周波プローブ９２と測定待ち素子との相対的な位置は、駆動機構８６によって調整することができる。駆動機構８６は第１駆動ユニット８５Ａと第２駆動ユニット８５Ｂとを備え、第１駆動ユニット８５Ａは無線周波プローブ９２の上下位置の調整に用いられ、第２駆動ユニット８５Ｂは無線周波プローブ９２の径方向位置の調整に用いられる。図２に示す駆動機構８６によって、無線周波プローブの上下位置と径方向位置の調整ができるが、この分野の技術者であれば、駆動機構８６はニーズによって一次元駆動、二次元駆動または三次元駆動に設計可能であり、さらに角度調整機能を備えてもよいことが容易に理解するができる。。
【００２２】
精密な電気特性測定（特に高周波電気特性）では、外部環境がもたらすノイズを測定システム外に排除する必要がある。本発明のテストカード５０は、さらに回路板６０の第１表面６１Ａに、ノイズを防ぐための第１遮蔽カバー６４が設けられている。第１遮蔽カバー６４はテストカード５０の第１表面６１Ａに取り付けられた部品（例えば、高周波プローブ）をその内部に内包させ、遮蔽効果をなすことによって、測定器の台自身または環境から生じるノイズを確実に遮断し、測定の精確度を確保する。
【００２３】
図３は本発明のテストカード５０の立体背面図である。図３に示すように、テストカード５０はさらに回路板６０に取り付けられた第２表面６１Ｂに取り付けられた支持体１１０および支持体１１０に固定された少なくとも１つの直流プローブ１１２を含む。直流プローブ１１２はエポキシ樹脂１１４で支持体１１０上に固定されている。テストカード５０の直流プローブ１１２はフェライトビーズ１２０で包まれており、そのため直流プローブ１１２を直流電気特性の測定に使用することができると共に、測定時においては振動現象の発生を防ぐことができる。直流プローブ１１２の、測定待ち素子を測定するのに用いられる一端と異なる端は回路板５０を貫通して、回路板５０の第１表面まで延びている。そのため、フェライトビーズ１２０を直流プローブ１１２のピンの先端部位にかなり接近させて取り付けることができ、もっと効果的に振動現象の発生を防ぐことができる。無線周波プローブ９２と直流プローブ１１２とにより、テストカード５０は測定待ち素子の無線周波電気特性と直流電気特性を同時に測定することができる。
【００２４】
ノイズを防ぐために、テストカード５０の回路板６０の第２表面６１Ｂには第２遮蔽カバー１２４を取り付けてもよい。第２遮蔽カバー１２４は、テストカード５０の第２表面６１Ｂに取り付けられた部品（例えば、直流プローブ）をすべてその内部に内包させ、遮蔽効果をなすことによって、測定器の台自身または環境から生じるノイズを確実に遮断し、測定の精確度を確保することができる。
【００２５】
本発明は、従来の技術に比べ、以下の長所がある。
【００２６】
１．無線周波プローブのピンの位置は調整可能である。本発明は無線周波プローブ９２をプローブ載置具９０上に取り付け、さらに微調整プラットホーム８０によって無線周波プローブ９２と測定待ち素子との相対的位置を調整し、使用者に無線周波プローブ９２のピンの位置レベルの微調整をするほか、さらに測定待ち素子の配列、ピッチ、測定器の台の規格に合せた調整ができ、そのため本発明のテストカード５０は他の規格の測定待ち素子にも応用可能である。
【００２７】
２．多機能測定でき、産業ニーズにマッチしている。本発明は、無線周波プローブ９２と直流プローブ１１２を個別に固定することにより、無線周波プローブ９２がエポキシ樹脂１１４と直流プローブ１１２の材料の違いによる電気特性への影響がないよう確保している。無線周波プローブ９２は、精密微調整プラットホーム８０によって取り付けられ、さらに直流プローブ１１２は伝統的な固定方式で取り付けられ、材料の違いによる影響を防いでいるため、本発明のテストカード５０は、測定待ち素子の直流電気特性と無線周波電気特性を同時に測定でき、測定時間の短縮が図れる。
【００２８】
３．テストカードの無線周波プローブは交換可能である。無線周波プローブ９２は交換可能方式でプローブ載置具９０に取り付けられているため、１つのプローブが壊れても壊れたプローブのみを交換するだけでよく、テストカード全体が使用できなくなるのと異なる。また、本発明のテストカード５０は、機能の異なるプローブ（例えば、光ファイバプローブ）に交換して、異なる測定待ち素子の測定に応用できる。
【００２９】
４．安定したプローブの取付方式。無線周波プローブ９２を安定してテストカード５０の特定位置に取り付けるため、本発明は多点位置合せおよび多点固定方式を採用することにより、微調整プラットホーム８０、プローブ載置具９０、無線周波プローブ９２が正しく、安定して回路板５０上に取り付けられ、それによって、プローブのピンの位置が外力の影響で変わらないよう確保する。
【００３０】
５．外部のノイズを遮断する。本発明は、回路板５０上に取り付けられた遮蔽カバー６４、１２４が、回路板上の電子素子をその内部に内包させ、遮蔽効果を形成することにより、測定器の台自身が生じさせるノイズを確実に遮断し、測定の精確度を確保する。
【００３１】
６．振動現象の発生を防ぐ。テストカードの直流プローブ１１２は、フェライトビーズ１２０で包まれており、そのため直流プローブ１１２を直流電気特性の測定に使用でき、さらに測定時に振動現象が発生するのを防ぐ。直流プローブ１２０と向き合う、測定待ち素子を測定する他の一端は回路板５０を貫通しており、さらに回路板５０の第１表面５１Ａまで延びているため、フェライトビーズ１２０を直流プローブ１１２の先端部位にかなり接近させて取り付けることができ、もっと効果的に振動現象が発生するのを防ぐことができる。
【００３２】
本発明の技術内容と技術的特徴は上記に開示した通りであるが、この分野の技術者は、本発明の教示と開示を基に、本発明の主旨から逸脱し限り、さまざまな代替および変更を行うことが可能である。従って、本発明の保護範囲は、実施例で開示したものに限るべきではなく、本発明の主旨から逸脱しないさまざまな代替および変更を含むべきである。
【図面の簡単な説明】
【００３３】
【図１】従来のテストカードの断面図である。
【図２】本発明のテストカードの立体正面図である。
【図３】本発明のテストカードの立体背面図である。
【符号の説明】
【００３４】
１０  テストカード
１２  回路板
１４  支持体
１６  プローブ
２０  導電孔
２２  開口
２４  エポキシ樹脂
２６  導線
３０  測定待ち素子
３８  信号接点
５０  テストカード
６０  回路板
６１Ａ  第１表面
６１Ｂ  第２表面
６２  開口
６４  第１遮蔽カバー
７０  固定プラットホーム
７２  位置合せ孔
７４  固定孔
８０  微調整プラットホーム
８２  固定部
８４  可動部
８５Ａ  第１駆動ユニット
８５Ｂ  第２駆動ユニット
８６  駆動機構
９０  プローブ
９２  無線周波プローブ
１１０  支持体
１１２  直流プローブ
１１４  エポキシ樹脂
１２０  フェライトビーズ
１２４  第２遮蔽カバー
【図１】
2005315615.tif 000003
【図２】
2005315615.tif 000004
【図３】
2005315615.tif 000005